(57)【要約】【課題】床に自立するサイドパネルを備えて机において、サイドパネルの取り付けの容易性を向上させると共に、背面パネルを併用するに際しての見栄えの向上も図る。【手段】天板２の後方には背面パネル１１が立ち上がっており、背面パネル１１の下端部には左右長手の長溝４０が前向きに開口している。サイドパネル１２は中間フレーム４６を介して上下に区分されており、中間フレーム４６は横向きに開口した長溝５１を有している。背面パネル１１の長溝４０と中間フレーム４６の長溝５１とは同じ高さで連続するように延びているため見栄えが良い。サイドパネル１２は中間フレーム４６の長溝５１に嵌め入れた連結金具１４を介して天板２に連結されている。連結金具１４は中間フレーム４６に着脱自在であるため、サイドパネル１２の取り付けも簡単である。【選択図】図２
2008079784.tif 000002
【特許請求の範囲】
【請求項１】
平面視で交叉した背面と側面とを有する天板と、前記天板を支える支持体と、前記天板の側面部に配置されていて天板の上下両方向に広がるサイドパネルとを備えており、
前記サイドパネルには、天板の側に開口した前後長手の長溝が、天板の上方に露出した状態で形成されており、更に、前記サイドパネルは、天板の下面にねじで締結した金具を介して天板に連結されている、
という机であって、
前記金具は、天板の下面に重なる下水平部と天板の側面に重なる垂直部とを有して正面視略Ｌ形に形成されていると共に、前記垂直部の上端縁に、前記サイドパネルの長溝に抜き差し自在な係止爪を形成している一方、前記サイドパネルの長溝は、前記金具の係止爪を天板の側に向けて抜け不能に保持する蟻溝に形成されている、
サイドパネル付き机。
【請求項２】
前記天板の後方には、当該天板と略同じ高さのバックフレームが配置されており、このバックフレームに背面パネルが積み重ねた状態に立設されており、更に、前記背面パネルの下端には、前向き開口で左右長手の長溝が天板の上方に露出するように形成されており、前記背面パネルの長溝とサイドパネルの長溝とが略同じ高さになっている、
請求項１に記載したサイドパネル付き机。
【請求項３】
前記背面パネルとサイドパネルとは、平面視矩形のコーナー支柱を介して連結されており、更に前記サイドパネルは、床に接地するように設定されていると共に、天板の手前側にはみ出ており、サイドパネルの後端部でコーナー支柱が支持されており、前記背面パネルとバックフレームとはコーナー支柱に連結されている、
請求項２に記載したサイドパネル付き机。
【発明の詳細な説明】
【技術分野】
【０００１】
本願発明は、背面パネル（フロントパネル又はバックパネルと呼んでも良い）とサイドパネルとを備えた机（テーブル）に関するものである。
【背景技術】
【０００２】
脚等の支持体で天板を支持して成る机にオプションとして背面パネルとサイドパネルとを設けることは従来から広く行われている。背面パネル及びサイドパネルとも取り付け構造は様々である。その一例として特許文献１には、背面パネルは床から浮かした状態で脚に取り付ける一方、サイドパネルは床に接地させた状態で脚に取り付けることが記載されている。
【０００３】
背面パネル及びサイドパネルは主として仕切り（目隠し）の機能を司るものであり、サイドパネルは通常は机上に立設することが多いが、例えば机の側方が通路となっている場合は、サイドパネルが机上のみに立設されていると遮蔽機能が不十分であり、また、人の足や物が脚に当たることを防止する保護機能も要請される。そこで、天板の上下両側に広がる状態でサイドパネルを配置することがあり、その例が特許文献１に記載されている。
【特許文献１】特開２０００−３３３７３８号公報
【発明の開示】
【発明が解決しようとする課題】
【０００４】
特許文献１では、サイドパネルの取り付け手段としては、脚の上下中途高さ部位に板状のブラケットを溶接によって固定し、この板状ブラケットとサイドパネルとをねじで締結している。しかし、この取り付け手段では、板状ブラケットは脚に固定されたままになっているため、脚はサイドパネルを取り付けるための専用品として製造せねばならず、サイドパネルを取り付けない机に適用することはできない。このため脚の用途が限定されて不経済である点や、板状ブラケットのねじ挿入穴とサイドパネルの雌ねじ穴との位置合わせも面倒であるという問題がある。本願発明は、この問題を解決することを一つの課題とするものである。
【０００５】
ところで、机にはサイドパネルのみを設ける場合もあるが（例えば特許第２６２６４２６号公報参照）、一般には、サイドパネルを設ける場合は背面パネルも設けることが殆どである（机の使用者は天板の背面方向を向いているため、机の使用者に対する目隠し機能の点からは背面パネルの必要性のほうが高い。）。
【０００６】
背面パネルの構造や取り付け態様も様々であり、例えば、天板の後端縁に立設する場合（すなわち背面パネルが平面視で天板の後端縁に重なっている場合）や、天板の後方に配置したバックフレームに立設する場合、或いは、背面パネルを天板の上下に広がる状態に形成して、これを脚の背面に重ねて取り付ける場合などがある（この場合は背面パネルが幕板の機能も発揮している。）。
【０００７】
このうち、天板の後方に配置したバックフレームに立設する積み上げ方式は、背面パネルを備えていない机と備えている机との切り換えや、背面パネルの高さの変更に簡単に対応でき、また、天板の後端面と背面パネル（及びバックフレーム）との間に配線空間を設けることも簡単にできる利点がある。そして、このような積み上げ方式の背面パネルでは、その下端にデザイン等の面から天板の方向に開口した横長の長溝を形成することがある。
【０００８】
本願発明は、背面パネルとサイドパネルとが共に長溝を備えている場合に、背面パネルとサイドパネルとを調和させて全体としてスッキリとしたデザインを実現することも課題の一つとしている。
【課題を解決するための手段】
【０００９】
本願発明に係る机は、「平面視で交叉した背面と側面とを有する天板と、前記天板を支える支持体と、前記天板の側面部に配置されていて天板の上下両方向に広がるサイドパネルとを備えており、前記サイドパネルには、天板の側に開口した前後長手の長溝が、天板の上方に露出した状態で形成されており、更に、前記サイドパネルは、天板の下面にねじで締結した金具を介して天板に連結されている、」という基本構成になっている。
【００１０】
そして、請求項１の発明では、前記金具は、天板の下面に重なる下水平部と天板の側面に重なる垂直部とを有して正面視略Ｌ形に形成されていると共に、前記垂直部の上端縁に、前記サイドパネルの長溝に抜き差し自在な係止爪を形成している一方、前記サイドパネルの長溝は、前記金具の係止爪を天板の側に向けて抜け不能に保持する蟻溝に形成されている。
【００１１】
請求項２の発明では、請求項１において、前記天板の後方には、当該天板と略同じ高さのバックフレーム（背面部材）が配置されており、このバックフレームに背面パネルが積み重ねた状態に立設されており、更に、前記背面パネルの下端には、前向き開口で左右長手の長溝が天板の上方に露出するように形成されており、前記背面パネルの長溝とサイドパネルの長溝とが略同じ高さになっている。
【００１２】
請求項３の発明は、請求項２において、前記背面パネルとサイドパネルとは、平面視矩形のコーナー支柱を介して連結されており、更に前記サイドパネルは、床に接地するように設定されていると共に、天板の手前側にはみ出ており、サイドパネルの後端部でコーナー支柱が支持されており、前記背面パネルとバックフレームとはコーナー支柱に連結されている。
【発明の効果】
【００１３】
本願発明では、サイドパネルを連結する金具は天板の下面にねじで締結されているため、サイドパネルを取り付けない状態では金具を取り外せば足り、従って、サイドパネルを取り付ける仕様の机と取り付けない仕様の机とに簡単に対応できて経済的である。また、金具がサイドパネルの長溝に着脱自在であることと、金具がサイドパネルの長溝に沿ってスライド自在であって位置決めが容易であること、金具が机上に露出していてその位置を一目で把握できることが相まって、サイドパネルの取り付け作業も簡単に行うことができる。また、サイドパネルの長溝はトレーや棚等の付属品の取り付けに利用することも可能である。
【００１４】
請求項２のように構成すると、背面パネルの長溝とサイドパネルの長溝とが水平状に連続したラインとして表れるため、デザイン的にスッキリとしていて見栄えが良い。更に請求項３のように構成すると、背面パネル及びサイドパネルはコーナー支柱に連結されるため連結に際して位置決めが容易であり、また、サイドパネルは床上に自立しているため安定性に優れている。
【発明を実施するための最良の形態】
【００１５】
次に、本願発明の実施形態を図面に基づいて説明する。図１〜図１１では第１実施形態（主たる実施形態）を示しており、まず、第１実施形態を説明する。
【００１６】
(1).概要
図１は多数の机１から成る机群の斜視図、図２は単体の机の部分的な斜視図、図３は机群を裏側から見た状態での斜視図である。これらの図から理解できるように、机１は、平面視で矩形（横長長方形）の天板２を備えており、天板２は、左右に配置した脚３又は抽斗式袖キャビネット４で支持されている（脚３と袖キャビネット４は天板２の支持体の一例である。）。また、脚３又は袖キャビネット４の背面には、机１の剛性を確保する強度メンバーとしてのバックフレーム５が連結されている。
【００１７】
机群は、隣り合った机１が互いに連結した状態で並設される多連構造になっており、隣り合った天板２は一つの脚３又は袖キャビネット４に跨がった状態で載っており、かつ、天板２は図示しない金具によって脚３又は袖キャビネット４に固定されている。
【００１８】
バックフレーム５は、縦長の左右サイドメンバー６と、その上端に連結した左右横長のアッパーフレーム７と、アッパーフレーム７よりも下方の部位において左右のサイドメンバー６に連結したパネル体８とを備えている。バックフレーム５は天板２と同じ左右長さに設定されており、隣り合った２つのバックフレーム５は、一つの脚３又は袖キャビネット４に連結されている。天板２を一つの脚３又は袖キャビネット４に連結している状態では、天板２の側縁は脚３又は袖キャビネット４の外面から若干の寸法だけはみ出している。
【００１９】
机１は前後背中合わせに連結することも可能であり、この場合は、前後の机１は一つのバックフレーム５を共用している。既述のように、隣り合った机１は脚３又は袖キャビネット４及びバックフレーム５を兼用しており、従って、任意の数だけ連結することができる。なお、脚３は、中空板状の基部から上アームと下アームとを前向きに突設したいわゆるＬ脚の形態になっているが、例えば棒状の脚や側面視矩形の板状の脚等も採用できることは言うまでもない。
【００２０】
天板２とバックフレーム５との間には配線用空間９が空いており、この配線用空間９には、着脱自在なカバー１０が配置されている。バックフレーム５は天板２と略同じ高さに揃えられており、このバックレーム５の上面に背面パネル１１を立設している。また、机群の端部を構成する机１の外側部には、床に自立した状態でサイドパネル（腰パネルと呼んでも良い）１２が配置されている。サイドパネル１２の前後寸法は天板２の奥行き寸法よりもかなり大きい寸法になっており、このためサイドパネル１２は天板２の手前側に張り出している。
【００２１】
サイドパネル１２と背面パネル１１とは平面視矩形（正方形）のコーナー支柱１３に連結されている。また、サイドパネル１２は図２に示す連結金具１４によって天板２に連結されている。図１に符号１５で示すのは、移動自在で間口寸法が小さいスリムタイプの補助袖キャビネットである。
【００２２】
本願の請求項及び明細書で「左右」「前後」の文言を使用しているが、この前後・左右は人が背面パネル１１と対峙した方向を基準にしている（換言すると、人が椅子に腰掛けて机を使用する状態での当該人を基準にして前後・左右の文言を使用している。）。前後の文言については、背面パネル１１に向かって手前側を前と呼び、前方を後と呼んでいる。天板２が平面視Ｌ形である場合は、２枚の背面パネルが平面視で直交した姿勢に配置されることになるが、この場合は、それぞれの背面パネルを基準にして前後・左右が規定される。
【００２３】
次に、図４〜図７も参照してバックフレーム５と背面パネル１１との詳細を説明する。図４はバックフレーム５の分離斜視図、図５は背面パネル１１の上部の分離斜視図、図６は図２のVI−VI視断面図、図７は図２の VII-VII視断面図である。
【００２４】
(2).バックフレームの詳細
既述のとおり、バックフレーム５は、左右のサイドメンバー６とその上端に連結したアッパーフレーム７と、左右サイドメンバー６をアッパーフレーム７の下方において連結するパネル体８とを主要要素としている。サイドメンバー６はアルミ等の金属で中空に形成されており、平面視で略中間部には縦筒部１６が形成されており、また、一側面にはパネル体８が嵌まる縦長凹所１７が形成されている。
【００２５】
サイドメンバー６の上端には樹脂製のキャップ１８が装着されており、キャップ１８にはサイドメンバー６の縦筒部１６と同心の貫通穴１９が空いている。また、サイドメンバー６のうち縦長凹所１７と反対側の外面には、前後の内向きリップを有するセンター蟻溝６ａが全長にわたって形成されている。
【００２６】
アッパーフレーム７も金属製で中空状に形成されており、その前後両面に３段の蟻溝２０が形成されており、また、下面にはパネル体８が嵌合し得る下向き開口溝２１が空いている。アッパーフレーム７とサイドメンバー６はＬ形の金具２２を介してビス（図示せず）で連結されている。また、パネル体８の四周は中空状に折り返されており、左右の折り曲げ返し部がビス２３でサイドメンバー６に締結されている。また、パネル体８には横長の補強材２４を固着している。
【００２７】
なお、バックフレーム５の高さは任意に設定できる。机１を背中合わせに配置する場合は目隠し機能は殆ど必要はないので、バックフレーム５と床との間に大きな空間が空いていても良い（パネル体８は上下高さを変えてサイドメンバー６に固定することもできる。）。
【００２８】
図４に示す符号２５は、サイドメンバー６を脚３又は袖キャビネット４に連結するためのダルマ形係合穴であり、脚３及び袖キャビネット４の背面には、係合穴２５が嵌め込まれる頭付きピン（図示せず）を突設している。従って、バックフレーム５は脚３及び袖キャビネット４に対して着脱自在である。なお、バックフレーム５の連結手段は任意に設定できる。バックフレーム５の構造は本実施形態に限定されるものではなく、例えば全体を板材でパネル状（幕板状）に構成したり、或いは、左右のサイドメンバーの下端をロアフレームで連結するなど、様々の態様を採用できる。木製とすることも可能である。
【００２９】
図６に示すように、配線空間９を塞ぐカバー１０は、バックフレーム５を構成するアッパーフレーム７の蟻溝２０に嵌め込み装着されている。カバー１０の上面は、バックフレーム５のアッパーフレーム７及び天板２と略同じ高さに設定されている。本実施形態ではカバー１０と天板２との間に若干の隙間（ケーブル類を引き出すための隙間）を空けているが、配線空間９をカバー１０で完全に塞ぐことも可能である。図６に符号２６で示すのは配線ダクトを吊支するためのブラケットであるが、本願との関係はないので説明は省略する。
【００３０】
(3).背面パネル
背面パネル１１は、左右に配置された上下長手の縦フレーム２８と、左右縦フレーム２８の上端間に連結された笠木２９と、左右縦フレーム２８の下端間に連結された巾木３０とによって正面視矩形の枠組みが構成されており、この枠組みに、芯材３１と前後の表面板３２とが取り付けられている。表面板３２は木製であるが、金属板製としたり、ピンを刺すことのできる軟質板とすることもできる。
【００３１】
例えば図７に示すように、縦フレーム２８は、軽金属の押し出し加工品であって中空であり、かつ、外側に露出した突出部２８ａを有する平面視略Ｔ字状に形成されており、表面板３２は突出部２８ａを除いた部分に重なっている。縦フレーム２８における突出部２８ａの前後側壁には、ブラケット類を引っ掛けることができる係止穴３４が上下適宜間隔で多数形成されており、また、突出部２８ａの外端面には縦長中心線に沿ってセンター蟻溝３５が形成されている。
【００３２】
笠木２９は金属製又は樹脂製で中空に形成されており、かつ、前後に開口した蟻溝式の長溝３６が全長にわたって形成されている。長溝３６には例えば棚（図示せず）を係止することができる。図５に示すように、笠木２９は縦フレーム２８にビス（例えばタッピンねじ）３７で締結されている。また、笠木２９にはビス３７をねじ込むための切欠き３８が形成されており、切欠き３８はキャップ３９で塞がれている。
【００３３】
図６に示すように、巾木３０は中空状でかつ上部には前後に露出したエッジ部３０ａを備えており、エッジ部３０ａの下方に空間が空いている。このため、バックフレーム５の上面と巾木３０のエッジ部３０ａとの間に横長の長溝４０が空いている（以下では、長溝４０は、便宜上、「背面パネル１１の長溝４０」と呼ぶ。請求項に記載した長溝はこのような態様も含んでいる。）。
【００３４】
巾木３０も笠木２９と同様に２本のビスで縦フレーム２８に締結されている。そして、図４及び図５に示すように、上下に長いボルト４１を笠木２９と縦フレーム２８と巾木３０とに上方から通して、ボルト４１をバックフレーム５におけるサイドメンバー６の縦筒部１６にねじ込んでいる。このため、背面パネル１１はバックフレーム５に離脱不能で強固に固定されている。
【００３５】
(4).サイドパネルの詳細
次に、従前の図（特に図７）に加えて図８〜１１も参照し、サイドパネル１２の構造と連結構造とを説明する。図８のうち（Ａ）は図２の VIIIA-VIIIA視断面図、（Ｂ）は（Ａ）のＢ−Ｂ視断面図、（Ｃ）は連結金具１４の取り付け手順を示す図、図９のうち（Ａ）は図２の IXA-IXA視断面図で（Ｂ）は図２の IXB-IXB視断面図であり、両者を繋ぐ点線は高さが揃っていることを表示している。図１０のうち（Ａ）はサイドパネル１２の端部の部分的な分離平面図、（Ｂ）は（Ａ）のＢ−Ｂ視図、（Ｃ）は（Ａ）のＣ−Ｃ視図であり、図１１はサイドパネル１２とコーナー支柱１３との下部連結手段を示す斜視図である。
【００３６】
サイドパネル１２は、左右の縦フレーム４３と、左右の縦フレーム４３の上端に連結した笠木４４と、左右の縦フレーム４３の下端に連結した巾木４５と、左右縦フレーム４２を天板２の高さ位置において連結する中間フレーム４６とで骨組みが構成されており、中間フレーム４６の上方と下方とに、それぞれ芯材４７と前後の表面板４８とが配置されている。サイドパネル１２の前後両端部の下面にはアジャスタボルト４９を取り付けている。
【００３７】
サイドパネル１２の縦フレーム４３，笠木４４，巾木４５は背面パネル１１のそれと同じ断面形状であり、また、縦フレーム４３と笠木４４との連結構造及び縦フレーム４３と巾木４５との連結構造も背面パネル１１と同じである。よって、これらについての説明は省略する。
【００３８】
コーナー支柱１３は４つの縦長外面を有する平面視略正方形に形成されており、各縦長外面には、背面パネル１１の縦フレーム２５と同様にセンター蟻溝１３ａが形成されており、コーナー支柱１３のセンター蟻溝１３ａと背面パネル１１における縦フレーム２８のセンター蟻溝３５との相互間、及び、コーナー支柱１３のセンター蟻溝１３ａとサイドパネル１２における縦フレーム４３のセンター蟻溝４３ａとの相互間に、断面略Ｈ字状で上下に長いジョイント材５０が差し込まれており、これにより、コーナー支柱１３と背面パネル１１、及び、コーナー支柱１３とサイドパネル１２とは横向き離反不能に保持されている。換言すると、背面パネル１１とサイドパネル１２とはコーナー支柱１３を介して離反不能に連結されている。
【００３９】
図８及び図９に示すように、中間フレーム４６は中空状でかつ表裏両側には外側に露出した上エッジ部４６ａと下エッジ部４６ｂとを備えており、上下エッジ部４６ａ，４６ｂの間に前後長手で水平状に延びる長溝５１が開口している。上エッジ部４６ａは下向きのリップ４６ｃを備えており、このため、長溝５１は蟻溝になっている。そして、サイドパネル１２は、下エッジ部４６ｂの上面が天板２の上面と略同じ高さになるように設定しており、このため、サイドパネル１２の長溝５１と背面パネル１１の長溝４０と殆ど同じ高さに揃っており、その結果デザイン的にスッキリとして見栄えが良い。
【００４０】
連結金具１４は金属板製であり、図８に示すように、天板２の下面に重なる下水平部１４ａと天板２の側面に重なる垂直部１４ｂとで横向き略Ｌ字に形成されており、垂直部１４ｂの上端に、中間フレーム４６の長溝５１に入り込む係止爪１４ｃが一体に折り曲げ形成されている。このため、係止爪１４ｃが中間フレーム４６における上エッジ部４６ａの下向きリップ４６ｃに引っ掛かることにより、連結金具１４は中間フレーム４６に対して左右抜け不能に保持されている。
【００４１】
本実施形態においてサイドパネル１２を取り付けるには、まず連結金具１４をサイドパネル１２の長溝５１に嵌め込み装着してから、連結金具１４の下水平部１４ａを天板２と袖キャビネット４との間の空間に差し込みつつサイドパネル１２を天板２の側面に重ね、次いで、連結金具１４を所定位置にスライドさせてビス５１で連結金具１４を天板２に締結する、いう手順を踏むことになる。
【００４２】
この場合、連結金具１４の係止爪１４ｃは、連結金具１４を正面視で傾けた姿勢とすることにより、サイドパネル１２の広幅面と直交して左右方向からの抜き差しによって長溝５１に嵌脱させることができる。このため連結金具１４の取り付けをワンタッチ的に行える。
【００４３】
また、本実施形態では、連結金具１４の係止爪１４ｃが上向きの鉤状であることにより、係止爪１４ｃをサイドパネル１２の長溝５１に嵌めると連結金具１４の下水平部１４ａは水平姿勢に保持されることになり、このため、人が一々連結金具１４を手で持っていなくても、下水平部１４ａを天板２と袖キャビネット４との間の隙間に差し込むことができる。従って、サイドパネル１２の取り付けを能率良く行える。この点、本実施形態の利点である。
【００４４】
連結金具１４の下水平部１４ａは天板２の下面にビス５２で締結されている。本実施形態では天板２は木製であり、図８（Ａ）（Ｂ）に示すように、天板２の下面に埋設した鬼目ナット５３にビス５２をねじ込んでいる。連結金具１４における下水平部１４ａのうちビス５２の締結部は下向きに膨出している。これは、断面係数を高めて強度をアップするためである。
【００４５】
図８（Ｄ）では天板２が金属板製（スチール製）である場合の連結構造を示している。すなわち、天板２は表面板２ａの下面に樋状で左右長手の補強枠２ｂを適宜間隔で複数本固着した構造になっており、補強枠２ｂに設けた穴にプッシュナット５４を回転不能に取り付け、このプッシュナット５４にビス５２をねじ込んでいる。なお、表面板２ａの上面を太線で示しているが、これはメラミン等の化粧板である。
【００４６】
なお、連結金具１４が袖キャビネット４の箇所に配置されている場合、連結金具１４の締結作業は、袖キャビネット４の上段の抽斗を取り外して行うことになる（袖キャビネット４の本体は上向きに開口しているので、抽斗を取り外せば締結作業を行える。）。本実施形態では連結金具１４は１本のビス５２で天板２に締結されているが、複数本のビス５２を使用しても良い。
【００４７】
図１０（Ａ）に示すように、中間フレーム４６の左右両端部は平面視でコ字状に切り開かれており、この切り開き部５５が樹脂製保護部材５６を介して縦フレーム４３の基部に嵌合している。従って、中間フレーム４６の長溝５１は、縦フレーム４３の突出部４３ｂの箇所まで延びている。保護部材５６には、中間フレーム４６の長溝５１を塞ぐストッパー部５６ａを設けている。
【００４８】
図１１に示すように、サイドパネル１２における巾木４５には、コーナー支柱１３を連結するための受け金具５７がビス５８で締結されている。受け金具５７は巾木４５に下方からずれ不能に嵌まっている。他方、図７に示すように、コーナー支柱１３の平面視中央部には十字状の壁を介して縦筒部１４ｂが一体に形成されており、縦筒部１４ｂにねじ込んだビス５９によって受け金具５７をコーナー支柱１３に締結している。
【００４９】
サイドパネル１２は床に自立している一方、バックフレーム５は床から浮いた状態に配置されているが、背面パネル１１及びバックフレーム５はジョイント材５０によってコーナー支柱１３に連結されているため、背面パネル１１はガタ付きのない状態に保持されている。
【００５０】
更に述べると、バックフレーム５はそもそも脚３又は袖キャビネット４に連結されているのでガタ付きの問題はなく、そして、背面パネル１１は、ジョイント材５０が縦フロントパネル２８とバックフレーム５のサイドメンバー６とに挿通していることにより、バックフレーム５に対しても強固に取り付けられており、かつ、背面パネル１１はサイドパネル１２に対して強固に連結されているコーナー支柱１３にジョイント材５０によって上下全長にわたって連結されており、これらが相まって、背面パネル１１はガタ付きなく堅牢な状態に保持されているのである。この点は本実施形態の利点である。
【００５１】
既述のように、背中合わせに配置した机１はバックフレーム５を共用しているが、図１らから容易に理解できるように、背中合わせに配置された机１のサイドパネル１２は１本のコーナー支柱１３を介して連結されている。
【００５２】
図７では背中合わせに配置されたサイドパネル１２のうち片方しか表示していないが、実際には、背中合わせに配置されたサイドパネル１２の縦フレーム４３は、それぞれ共通したコーナー支柱１３にジョイント材５０で連結されており、かつ、コーナー支柱１３は、バックフレーム５と背面パネル１１とに１本のジョイント材５０で連結されている。このため、コーナー支柱１３と前後のサイドパネル１２とバックフレーム５と背面パネル１１とが互いに補強しあって、全体として堅牢な構造になっている。
【００５３】
(5).他の実施形態（図12）
図１２に示す第２実施形態では、背面パネル１１を天板２の上下両方向に広がる１枚板状に形成している。サイドパネル１２は第１実施形態と同じ構造であり、背面パネル１１に、サイドパネル１２の中間フレーム４６と同じ高さの中間フレーム６０を配置している。
【００５４】
(6).その他
本願発明は上記の実施形態の他にも様々に具体化できる。例えば天板は木製に限らず金属製（スチール製）でも良いことはいうまでもなく、また、背面パネル及びサイドパネルも複層構造に限らず、各種素材の単層構造とすることもできる。更に、背面パネル及びサイドパネルとも、例えば天板より上方の部分（中間フレームよりも上方の部分）を半透明又は不透明な樹脂板からなるスクリーン状に形成するなど、各種の素材・構造を採用できる。
【００５５】
バックフレームを設ける場合、左右の脚の後端間に配置することも可能である。第１実施形態の場合、袖キャビネットの前部下端（或いは脚の前部下端とサイドパネルとの間に間隔保持用のスペーサを階層しても良い。）。また、第１実施形態では天板とサイドパネルとの間には連結金具の箇所を除いて若干の隙間が空いているが、この隙間を埋めたい場合は、連結金具の係止爪と垂直部に相当する部分を有する閉鎖部材を中間フレームに装着したら良い。
【００５６】
また、背面パネルの下端には必ずしも長溝や段部を形成する必要はなく、背面パネルの下端部とサイドパネルの中間フレームとが略同じラインとなるように設定することにより、見栄えを良くすることができる。
【図面の簡単な説明】
【００５７】
【図１】第１実施形態に係る机群の斜視図である。
【図２】机の部分的な斜視図である。
【図３】机群を裏側から見た概略斜視図である。
【図４】バックフレームの分離斜視図である。
【図５】背面パネルの上部分離斜視図である。
【図６】図２のVI−VI視断面図である。
【図７】図２の VII-VII視断面図である。
【図８】（Ａ）は図２の VIIIA-VIIIA視断面図、（Ｂ）は（Ａ）のＢ−Ｂ視断面図、（Ｃ）は連結金具１４の取り付け手順を示す図、（Ｄ）は別例を示す断面図である。
【図９】（Ａ）は図２の IXA-IXA視断面図で（Ｂ）は図２の IXB-IXB視断面図である。
【図１０】（Ａ）はサイドパネルの端部の部分的な分離平面図、（Ｂ）は（Ａ）のＢ−Ｂ視図、（Ｃ）は（Ａ）のＣ−Ｃ視図である。
【図１１】サイドパネルとコーナー支柱との下部連結手段の斜視図である。
【図１２】他の実施形態を示す図である。
【符号の説明】
【００５８】
１  机
２  天板
３  天板の支持体の一例としての脚
４  天板の支持体の一例としての袖キャビネット
５  バックフレーム
１１  背面パネル
１２  サイドパネル１２
１３  コーナー支柱
１４  金具
３３  背面パネルの長溝
５６  サイドパネルの長溝
【図１】
2008079784.tif 000003
【図２】
2008079784.tif 000004
【図３】
2008079784.tif 000005
【図４】
2008079784.tif 000006
【図５】
2008079784.tif 000007
【図６】
2008079784.tif 000008
【図７】
2008079784.tif 000009
【図８】
2008079784.tif 000010
【図９】
2008079784.tif 000011
【図１０】
2008079784.tif 000012
【図１１】
2008079784.tif 000013
【図１２】
2008079784.tif 000014